(57)【要約】【課題】ラインアイに対する釣糸の結合状態が相対的に変化した場合であっても、一定の範囲内であれば、水中での姿勢を所定の状態に維持することが可能なルアーを提供する。【解決手段】ルアー本体１と、ルアー本体からに突出した板状構造を有し、その板面の方向がルアー本体に対して横方向でかつ前後方向に所定の角度を有するように設けられたリップ２と、リップの上面に設けられたラインアイ４と、ルアー本体に設けられたフックアイ５とを備える。ラインアイは、実質的なループを形成し、そのループを含む面の方向がリップの面に垂直でかつルアー本体の前後方向に平行であり、一部に直線部を有する。あるいは、ラインアイは、実質的なループを形成し、そのループを含む面の方向がルアー本体の前後方向に対して直交し、一部に直線部を有する。【選択図】　図２
2004057203.tif 000002
【特許請求の範囲】
【請求項１】
ルアー本体と、前記ルアー本体から前方に突出した板状構造を有し、その板面の方向が前記ルアー本体に対して横方向でかつ前後方向に所定の角度を有するように設けられたリップと、前記リップの上面に設けられたラインアイと、前記ルアー本体に設けられたフックアイとを備え、
前記ラインアイは、実質的なループを形成し、そのループを含む面の方向が前記リップの面に垂直でかつ前記ルアー本体の前後方向に平行であり、一部に直線部を有することを特徴とするルアー。
【請求項２】
ルアー本体と、前記ルアー本体から前方に突出した板状構造を有し、その板面の方向が前記ルアー本体に対して横方向でかつ前後方向に所定の角度を有するように設けられたリップと、前記リップの上面に設けられたラインアイと、前記ルアー本体に設けられたフックアイとを備え、
前記ラインアイは、実質的なループを形成し、そのループを含む面の方向が前記ルアー本体の前後方向に対して直交し、一部に直線部を有することを特徴とするルアー。
【請求項３】
前記ラインアイは、実質的な円環状、楕円環状、長円環状、部分環状、部分楕円環状、部分長円環状、または多角形環状である請求項１または２に記載のルアー。
【請求項４】
前記ラインアイの直線部は前記ループの形状の重心に対してなす角度θが、３０°〜１８０°の範囲にある請求項１または２に記載のルアー。
【発明の詳細な説明】
【０００１】
【発明の属する技術分野】
本発明は、魚釣用のルアーに関し、特に、リップを有することにより水中で安定して一定の姿勢をとることが可能なルアーの構造に関する。
【０００２】
【従来の技術】
魚釣用のルアーは、外形を例えば魚体に似せて形成された合成樹脂からなるルアー本体を有し、ルアー本体の前部には、釣糸を結束するために金属製のラインアイが設けられ、尾部には釣り針を連結するための金属製のフックアイが設けられる。
【０００３】
また、ルアー本体の前部に、例えば略楕円形板状のリップと称される部材が設けられた構造も知られている（例えば特許文献１参照）。リップは、ルアー本体に対して板面の方向が横方向になり、かつ前後方向に所定の角度を有するように設けられる。リップを設けることにより、釣糸を介した操作によりルアーが水中で動くときに、ルアーの姿勢を安定させる効果が得られる。
【０００４】
リップを有するルアーの場合、ラインアイはリップの上面に垂直なループ形状、例えば、略半環状に形成される。ラインアイは、ループを含む面がルアー本体の前後（長手）方向を向くように配置される。
【０００５】
通常、ラインアイに取り付けた金属環に釣糸を結束することにより、ラインアイと釣糸が結合される。従って、釣糸を操作した場合に、金属環を介してリップが力を受け、水中での流体力学的な作用を受ける。リップの形状、寸法、取り付け角度等を適切に設定することにより、ルアーの水中での姿勢を安定させることができる。
【０００６】
【特許文献１】
実用新案登録第３０３１６３６号公報
【０００７】
【発明が解決しようとする課題】
しかしながら上記構成のルアーにおいては、次のような問題があった。つまり、釣糸の操作、あるいは水流によるルアーの動きによって、ラインアイに対する釣糸の結合状態（例えば角度等）が変化する場合があり、それにより、リップに対する水の流体力学的な作用が変化する。その結果、ルアーの姿勢が不安定となって、所定の状態を維持することができなくなり、ルアーが本来の機能を果たすことが困難になる。
【０００８】
本発明は、ラインアイに対する釣糸の結合状態が相対的に変化した場合であっても、一定の範囲内であれば、水中での姿勢を所定の状態に維持することが可能なルアーを提供することを目的とする。
【０００９】
【課題を解決するための手段】
本発明のルアーは、ルアー本体と、前記ルアー本体から前方に突出した板状構造を有し、その板面の方向が前記ルアー本体に対して横方向でかつ前後方向に所定の角度を有するように設けられたリップと、前記リップの上面に設けられたラインアイと、前記ルアー本体に設けられたフックアイとを備え、前記ラインアイは、実質的なループを形成し、そのループを含む面の方向が前記リップの面に垂直でかつ前記ルアー本体の前後方向に平行であり、一部に直線部を有することを特徴とする。
【００１０】
本発明の他の構成のルアーは、ルアー本体と、前記ルアー本体から前方に突出した板状構造を有し、その板面の方向が前記ルアー本体に対して横方向でかつ前後方向に所定の角度を有するように設けられたリップと、前記リップの上面に設けられたラインアイと、前記ルアー本体に設けられたフックアイとを備え、前記ラインアイは、実質的なループを形成し、そのループを含む面の方向が前記ルアー本体の前後方向に対して直交し、一部に直線部を有することを特徴とする。
【００１１】
【発明の実施の形態】
本発明のルアーによれば、リップの上面に設けられたループ形状を有するラインアイが直線部を有することにより、ラインアイに対する釣糸の結合状態が相対的に変化した場合であっても、相対的な変化が一定の範囲内であれば、ラインアイの直線部を釣糸の結束部が移動して、ルアーは水中での姿勢を所定の状態に維持することが可能である。
【００１２】
ここで、ループ形状とは、実質的な環状あるいは循環形状を全て含むことを意味する。したがって、前記ラインアイは例えば、実質的な円環状、楕円環状、長円環状、部分環状、部分楕円環状、部分長円環状、または多角形環状等を採ることができる。
【００１３】
また、ラインアイの直線部は、ループ形状の形状の重心に対してなす角度θが３０°〜１８０°の範囲にあることが好ましい。
【００１４】
以下に、本発明の一実施の形態におけるルアーについて、図面を参照して説明する。図１は、一実施の形態におけるルアーを示す平面図である。図２は、図１のルアーの側面から見た形状を示す。
【００１５】
１は合成樹脂からなるルアー本体であり、魚体の形状を有する。ルアー本体１の頭部には、リップ２が前方に突出するように設けられている。ルアー本体１の形状は魚体に限らず、海老、昆虫、あるいは無生物等、用途に応じてどのような形状であってもよい。リップ２は略楕円形の板状であり、ルアー本体１と一体に結合された合成樹脂により形成されている。リップ２の形状も、楕円形に限らず、円形、多角形等、用途に応じてどのような板状であってもよい。
【００１６】
リップ２は、ルアー本体１に対して板面の方向が横方向で、かつ図２に示されるように、前後方向に所定の角度を有する。リップ２の下面後部には、ルアー本体１の頭部から縦方向に伸びたリブ３が設けられ、リップ２の下面を支持している。リップ２は、従来例と同様、釣糸の操作により水中でルアーが動くときに、ルアーの姿勢を安定させる効果を得るために設けられる。
【００１７】
リップ２の上面には、釣糸を結束するために金属製のラインアイ４が設けられている。ルアー本体１の後部および下部にはそれぞれ、釣り針を連結するための金属製のフックアイ５、６が設けられている。
【００１８】
ラインアイ４は、リップ２の上面から垂直に略半環状に突出した形状を有し、環を含む面がルアー本体１の前後（長手）方向に平行になるように配置されている。ラインアイ４は、実質的なループを形成するものであれば、上述のように、様々な形状にすることができる。ラインアイ４の下部は、リップ２中に埋め込まれている。ラインアイ４の略半環状に突出した部分の上部には、図３Ａに拡大して示されるように、略直線状の直線部７が形成されている。
【００１９】
図３Ａに示すように、釣糸８は通常、ラインアイ４に取付けた金属環９を介してラインアイ４と結束される。従って、釣糸８とルアーが相対的に動くときに、金属環９はラインアイ４に対して角度が変化する。その際、ラインアイ４が直線部７を有することにより、変化が一定の範囲内であれば、ルアーは水中での姿勢を所定の状態に維持することが可能である。
【００２０】
この効果は実験的に確認されたものであり、この効果を得るための直線部７の作用については、以下のように推測される。すなわち、釣糸８とルアーの相対的な姿勢が変化して、金属環９のラインアイ４に対する角度が変化したときに、金属環９が直線部７を摺動する。それにより、ラインアイ４に対する金属環９の係合部位が変化する。その結果、金属環９のラインアイ４に対する角度が一定の範囲内であれば、釣糸８とリップ２の角度が元に戻り、リップ２に対する流体力学的な作用も大きくは変化しない。このように、ラインアイ４が直線部７を有することにより、リップ２によるルアーの姿勢を安定化する作用が、より高められる。
【００２１】
なお、図３Ａに示した金属環９は必ずしも用いる必要はない。要するに、ラインアイ４上の摺動を容易とする他のどのような構成を採用してもよい。もちろん、結合用の部材を用いることなく、釣糸を直接ラインアイ４に結束しても、本実施の形態の効果を十分に得ることは可能である。また、上述の作用を得るために、ラインアイ４の直線部７はループ（例えば略半環）の上部に設けられていることが好ましい。直線部７の配置は、例えば半環の中央部に位置させればよい。その場合は、両側に均等に円弧部が残される。ただし、適切な配置は、ルアー本体１およびリップ２の形状、寸法等の条件との関係により調整が必要であり、前後にずれた配置であっても、本実施の形態の効果を得ることは可能である。すなわち、直線部７は、リップ２の上面に対して必ずしも平行である必要はない。
【００２２】
本実施形態におけるルアーにおいて上記の効果を十分に得るためには、ラインアイ４の直線部７の形状に関して好ましい範囲が存在する。すなわち図３Ｂに示す直線部７の全長が、ループの形状の重心１０に対してなす角度θを、３０°〜１８０°の範囲とすることが望ましい。３０°よりも小さいと、姿勢を安定させる効果が十分に得られない。１８０°より大きくすると、ラインアイ４に対する釣糸の取り付けが困難になり、実用的ではない。
【００２３】
図４に示すリップ２の全長Ｌに対するラインアイ４の中央部の位置ｄは、ルアー本体１およびリップ２の形状、寸法等に応じて適切な位置が決まる。一例としては、ｄ／Ｌの値を０．４前後とすれば、ルアーの姿勢を安定させる効果を得ることが容易である。
【００２４】
これらの寸法は好ましい例ではあるが、用途等に応じて幅広く寸法を変化させても、上記のような効果を得ることは可能である。
【００２５】
なお、上述の実施の形態は、ラインアイ４のループを含む面がルアー本体１の前後方向に平行なるようにラインアイ４が配置された、いわゆる縦アイの構造を例として示したが、本発明はこれに限らず、いわゆる横アイの構造の場合にも適用可能である。横アイの構造とは、ラインアイのループを含む面の方向がルアー本体の前後方向に対して直交するように配置された構造である。またその場合、ラインアイのループを含む面はリップ面に直交する必要は無く、所定の傾斜を有していてもよい。そのような場合であっても、上述のような直線部を有することによる効果は、実用的に十分な程度に得られる。但し横アイの場合、直線部は、リップの上面に対して実質的に平行であることが望ましい。
【００２６】
【発明の効果】
本発明によれば、ラインアイが直線部を有することにより、ラインアイに対する釣糸の結合状態の変化が一定の範囲内であれば、ルアーは水中での姿勢を所定の状態に維持することが可能である。
【図面の簡単な説明】
【図１】本発明の一実施形態におけるルアーを示す平面図
【図２】同実施形態におけるルアーの側面図
【図３Ａ】図２の要部を示す拡大図
【図３Ｂ】図３Ａにおける要部の寸法関係を説明するための図
【図４】同実施形態におけるのルアーの要部の寸法を説明するための部分側面図
【符号の説明】
１　ルアー本体
２　リップ
３　リブ
４　ラインアイ
５、６　フックアイ
７　直線部
８　釣糸
９　金属環
１０　重心
【図１】
2004057203.tif 000003
【図２】
2004057203.tif 000004
【図３Ａ】
2004057203.tif 000005
【図３Ｂ】
2004057203.tif 000006
【図４】
2004057203.tif 000007